(57)【要約】【課題】嵌合不良の低減と、スペーサの組付作業性を改善することができるコネクタを提供する。【解決手段】コネクタハウジング１０をインナハウジング１０Ａとアウタハウジング１０Ｂとで構成し、インナハウジング１０Ａに、端子収容室１２と、側方から端子収容室１２に交差するスペーサ収容室１３と、スペーサ収容室１３に挿嵌されるスペーサ２０とを備え、アウタハウジング１０Ｂに、筒形状を有する周壁１５と、周壁１５の後端側を閉止する底壁１６と、周壁１５と底壁１６とで形成し、スペーサ２０をスペーサ収容室１３内に仮係止した状態で、インナハウジング１０Ａをアウタハウジング１０Ｂに収容し、端子金具３０を端子収容室１２に挿入し、スペーサ２０を本係止位置に移動し、端子金具３０をスペーサ２０に係合させ、端子金具３０を端子収容室１２内に保持する。【選択図】図２
2011228140.tif 000002
【特許請求の範囲】
【請求項１】
コネクタハウジングが、インナハウジングとアウタハウジングとで構成され、
該インナハウジングは、
内部に端子金具が挿入される端子収容室と、
該端子収容室に該端子金具を挿入する方向に対して側方から該端子収容室に交差するスペーサ収容室と、
該スペーサ収容室に挿嵌されるスペーサとを備え、
該アウタハウジングは、
筒形状を有する周壁と、
該周壁の後端側を閉止する底壁と、
該周壁と該底壁とで形成され、内部に該インナハウジングが収容されるインナ収容室とを備え、
該スペーサは該スペーサ収容室内の所定の位置まで挿入され、仮係止された状態で、インナハウジングとともに該インナ収容室に収容され、
該端子金具が該底壁を介して該端子収容室に挿入され、
該スペーサが更に挿入され、該スペーサ収容室内に本係止された状態で、該端子金具が該スペーサとを係合し、該端子金具が該端子収容室内に保持されることを特徴とするコネクタ。
【請求項２】
請求項１記載のコネクタにおいて、
前記インナハウジングの後端面と前記アウターハウジングの前記底壁との間に挟持されるシール材を備えることを特徴とするコネクタ。
【発明の詳細な説明】
【技術分野】
【０００１】
本発明は、スペーサを用いて端子金具のハウジングからの脱落を防止するコネクタに関する。
【背景技術】
【０００２】
従来、ハウジング内をスライドするスペーサに端子金具を係合させ、端子金具がハウジングから脱落することを防止するコネクタとして、特許文献１、特許文献２に記載されているものが提案されている。
【０００３】
特許文献１のコネクタ１０１は、コネクタハウジング１１０内に複数の端子金具（図示せず）がそれぞれ収容される端子収容室１１２を備えている。また、コネクタハウジング１１０には、端子収容室１１２に交差しつつ、コネクタハウジング１１０側面に開口するスペーサ収容部１１３が設けられている。スペーサ収容部１１３には、スペーサ１２０が挿嵌され、挿嵌されたスペーサ１２０に端子金具が係合し、端子収容室１１２からの脱落が阻止されている。
【０００４】
端子金具を端子収容室１１２内に収容する際には、まずコネクタハウジング１１０の側面に開口するスペーサ挿入口１１３ａを通じてスペーサ１２０をスペーサ収容部１１３に挿入し、スペーサ収容部１１３内に設定された仮係止位置に仮保持する。次に、端子金具を端子収容室１１２に挿入した後で、スペーサ１２０を本係止位置に移動させ、スペーサ１２０に端子金具を係止させる。
【０００５】
特許文献２のコネクタ２０１についても特許文献１のコネクタ１０１と同様に、コネクタハウジング２１０内に複数の端子金具２３０がそれぞれ収容される端子収容室２１２を備えている。また、コネクタハウジング２１０には、端子収容室２１２に交差しつつ、コネクタハウジング２１０側面に開口するスペーサ収容室２１３が設けられている。スペーサ収容室２１３には、スペーサ２２０が挿嵌され、挿嵌されたスペーサ２２０に端子金具２３０が係合し、端子収容室２１２からの脱落が阻止されている。
【０００６】
コネクタの近年の傾向として、端子金具の小型化と集約化が求められており、端子収容室内に端子金具を係止、保持するランス構造を設けることは、非常に困難になっている。そこで、前述の従来のコネクタのように、スペーサを用いて端子金具を端子収容室内に係止、保持する手法が広く用いられている。
【先行技術文献】
【特許文献】
【０００７】
【特許文献１】特開２０００−２５２０００号公報
【特許文献２】特開２００３−２７２７５０号公報
【発明の概要】
【発明が解決しようとする課題】
【０００８】
ところで、前述した従来のコネクタでは、コネクタハウジングの側面にスペーサ収容室のスペーサ挿入口が開口しているため、埃やゴミがスペーサ挿入口から入り込み、コネクタハウジングと相手側ハウジング（図示せず）との嵌合不良の原因となるおそれがあった。また、スペーサ挿入口から奥まった場所に仮係止位置が設定されているため、スペーサを仮係止位置で係止できずに本係止位置まで押込んでしまう作業ミスが発生し、組付作業性が悪いという問題があった。
【０００９】
本発明は、上記事情を考慮し、嵌合不良の低減と、スペーサの組付作業性を改善することができるコネクタを提供することを目的とする。
【課題を解決するための手段】
【００１０】
請求項１の発明は、コネクタハウジングが、インナハウジングとアウタハウジングとで構成され、該インナハウジングは、内部に端子金具が挿入される端子収容室と、該端子収容室に該端子金具を挿入する方向に対して側方から該端子収容室に交差するスペーサ収容室と、該スペーサ収容室に挿嵌されるスペーサとを備え、該アウタハウジングは、筒形状を有する周壁と、該周壁の後端側を閉止する底壁と、該周壁と該底壁とで形成され、内部に該インナハウジングが収容されるインナ収容室とを備え、該スペーサは該スペーサ収容室内の所定の位置まで挿入され、仮係止された状態で、インナハウジングとともに該インナ収容室に収容され、該端子金具が該底壁を介して該端子収容室に挿入され、該スペーサが更に挿入され、該スペーサ収容室内に本係止された状態で、該端子金具が該スペーサとを係合し、該端子金具が該端子収容室内に保持されることを特徴とする。
【００１１】
請求項２の発明は、請求項１記載のコネクタにおいて、前記インナハウジングの後端面と前記アウターハウジングの前記底壁との間に挟持されるシール材を備えることを特徴とする。
【発明の効果】
【００１２】
請求項１の発明によれば、アウタハウジングの側面に開口部を備えないため、コネクタハウジング内に埃やゴミが入り込みにくいとともに、入ってしまった場合にもインナハウジングを取外すことで、容易に埃やゴミを取除くことができるので、嵌合不良を低減することができる。
【００１３】
また、スペーサを仮係止した状態でインナハウジングをアウタハウジングに組付けることで、スペーサの誤組付けが防止され、スペーサの組付作業性を改善することができる。
【００１４】
請求項２の発明によれば、アウタハウジングの側面に開口部を備えない上に、アウタハウジングの開口端から奥まった部位にシール材が配置されるため、シール材への埃やゴミの付着が防止されるとともに、シール材の傷付きを防止することができるため、高い防水信頼性を発揮することができる。
【図面の簡単な説明】
【００１５】
【図１】本発明の一実施形態を示し、コネクタハウジングの正面図である。
【図２】本発明の一実施形態を示し、図１のII−II線に沿った分解断面図である。
【図３】本発明の一実施形態を示し、スペーサを仮係止した状態における図１のIII−III線に沿った断面図である。
【図４】本発明の一実施形態を示し、スペーサを本係止した状態における図１のIII−III線に沿った断面図である。
【図５】本発明の一実施形態を示し、コネクタハウジングを相手側ハウジングに嵌合した状態における図１のII−II線に沿った断面図である。
【図６】従来のコネクタハウジングを示し、（ａ）はスペーサを仮係止した状態を示す断面図、（ｂ）はスペーサを仮係止した状態を示す断面図である。
【図７】従来のコネクタを示し、（ａ）はスペーサを仮係止した状態を示す断面図、（ｂ）はスペーサを本係止した状態を示す断面図である。
【発明を実施するための形態】
【００１６】
以下、本発明の実施形態を図面を参照して説明する。
【００１７】
図１〜図５は本発明の一実施形態を示し、図１はコネクタハウジングの正面図、図２は図１のII−II線に沿った分解断面図、図３はスペーサを仮係止した状態における図１のIII−III線に沿った断面図、図４はスペーサを本係止した状態における図１のIII−III線に沿った断面図、図５はコネクタハウジングを相手側ハウジングに嵌合した状態における図１のII−II線に沿った断面図である。
【００１８】
本実施形態のコネクタ１を構成する雌側コネクタ２は、コネクタハウジング１０とスペーサ２０と、端子金具３０とで、構成されている。
【００１９】
コネクタハウジング１０は、インナハウジング１０Ａとアウタハウジング１０Ｂと、シール材４０とで構成されている。
【００２０】
インナハウジング１０Ａは、略直方体状の本体部分１１内部に複数の端子金具３０が挿入される端子収容室１２と、内部にスペーサ２０が挿嵌されるスペーサ収容室１３と、係止腕１４とが設けられている。端子収容室１２は、単純な貫通孔として、端子金具３０が後端側から前端側に挿通可能に形成されている。スペーサ収容室１３は、端子収容室１２に端子金具３０を挿入する方向に対して側方から、端子収容室１２に交差するように形成されている。係止腕１４は、インナハウジング１０Ａの後端に後方に向かって延設され、先端に係止突起１４ａが設けられている。
【００２１】
スペーサ収容室１３に挿嵌されるスペーサ２０は、スペーサ収容室１３内に設定された仮係止位置と本係止位置で係止され、保持されるように構成されている。また、スペーサ２０には、端子金具３０が挿通される端子挿通孔２１が設けられている。
【００２２】
アウタハウジング１０Ｂは、筒形状を有する周壁１５と、周壁１５の後端側を閉止する底壁１６とで構成され、周壁１５と底壁１６とで形成される内部空間は、インナハウジング１０Ａが収容されるインナ収容室１７に設定されている。また、底壁１６には、端子金具３０が貫通する底通孔１８と、インナハウジング１０Ａの係止腕１４が挿入されつつ、係止腕１４先端に設けられた係止突起１４ａと係合可能に形成された係合受部１９が形成されている。
【００２３】
端子金具３０は、係止部３１を備え、本係止位置に変位したスペーサ２０に係止部３１が係合することで、端子金具３０は端子収容室１２内に保持される。
【００２４】
シール材４０は、弾力性のある柔軟な素材をモールド成型することによって、アウタハウジング１０Ｂの底壁１６内面側に一体に成形されている。また、シール材４０には、端子金具３０が貫通する貫通孔４１と、インナハウジング１０Ａの係止腕１４が挿入される腕孔４２が形成されている。
【００２５】
上記構成において、雌側コネクタ２を組立てる手順として、まず、インナハウジング１０Ａにスペーサ２０を組付け、仮係止位置に保持する。次に、係止腕１４先端を、シール材４０の貫通孔４１と、アウタハウジング１０Ｂの底通孔１８とを挿通させ、インナハウジング１０Ａの後端面１１ａとアウタハウジング１０Ｂの底壁１６との間に、シール材４０を圧縮、狭持した状態で、先端の係止突起１４ａを係合受部１９に係合させる。
【００２６】
スペーサ２０を仮係止位置に保持した状態のままで、アウタハウジング１０Ｂの底壁１６外面側から挿入し、底通孔１８と貫通孔４１を通じて、端子金具３０を端子収容室１２に配設する。次に、端子金具３０を端子収容室１２内に配置した状態で、スペーサ２０を仮係止位置から本係止位置に移動させて、スペーサ２０を端子金具３０に係合させ、端子金具３０を端子収容室１２内に保持し、雌側コネクタ２の組立てが完了する。
【００２７】
そして、インナハウジング１０Ａとアウタハウジング１０Ｂとの間に形成される空間に、相手側ハウジング３を挿入することで、相手側ハウジング３の開口端内面３ａにシール材４０が密着し、コネクタハウジング１０と相手側ハウジング３との間の水密性が発揮される。
【００２８】
以上のように、本実施形態のコネクタ１によれば、スペーサ２０を仮係止した状態でインナハウジング１０Ａをアウタハウジング１０Ｂに組付けることで、仮係止位置で係止できずに本係止位置まで押込んでしまう作業ミスの発生を防止し、スペーサ２０の組付作業性を改善することができる。
【００２９】
また、アウタハウジング１０Ｂの側面に開口部を備えない上に、アウタハウジング１０Ｂの開口端から奥まった部位にシール材４０が配置されるため、シール材４０への埃やゴミの付着が防止されるとともに、シール材４０に埃やゴミが付着した場合にも、インナハウジング１０Ａを取外すことで、簡単に埃やゴミを取除くことができる。これにより、コネクタハウジング１０と相手側ハウジング３との嵌合不良を防ぐことができるとともに、シール材４０の傷付きを防止することができるため、高い防水信頼性を発揮することができる。
【符号の説明】
【００３０】
１…コネクタ
１０…コネクタハウジング
１０Ａ…インナハウジング
１０Ｂ…アウタハウジング
１１ａ…インナハウジングの後端面
１２…端子収容室
１３…スペーサ収容室
１５…周壁
１６…底壁
１７…インナ収容室
２０…スペーサ
３０…端子金具
４０…シール材
【図１】
2011228140.tif 000003
【図２】
2011228140.tif 000004
【図３】
2011228140.tif 000005
【図４】
2011228140.tif 000006
【図５】
2011228140.tif 000007
【図６】
2011228140.tif 000008
【図７】
2011228140.tif 000009